(57)【要約】【課題】ユーザの誤操作を防止できるようにする。【解決手段】操作装置１０は、操作表示部１２及び操作制御部を備える。操作表示部１２は、互いに異なる機能を割り付けられた複数の機能キーを表示自在であり、表示中の機能キーに対するタッチ操作を受け付ける。操作制御部は、複数の機能キーのうち白黒コピースタートキー６１に対するタッチ操作が行われると、白黒コピースタートキー６１及びカラーコピースタートキー６２を非表示にし、カラーコピースタートキー６２の表示領域に、コピー中止キーを表示させる。【選択図】図５
2015032168.tif 000002
【特許請求の範囲】
【請求項１】
互いに異なる機能を割り付けられた複数の機能キーを表示自在であり表示中の機能キーに対するタッチ操作を受け付ける操作表示部と、
前記複数の機能キーのうち所定の動作キーに対するタッチ操作が行われると、前記動作キーを非表示にし、前記動作キーの表示領域内及び前記動作キーの表示領域の隣接領域を含む近接領域であって前記動作キーに対するタッチ操作が行われた領域以外の領域に、前記動作キーに割り当てられた機能を中止させる機能を割り当てられた中止キーを表示させる制御部と、を備える操作装置。
【請求項２】
前記動作キーは、第１動作モードでの動作の開始を指示する第１動作モードキー、及び第２動作モードでの動作の開始を指示する第２動作モードキーを含み、
前記第１動作モードキーと前記第２動作モードキーとは互いに隣接して表示され、
前記第１動作モードキー及び前記第２動作モードキーのうち一方の動作モードキーに対するタッチ操作が行われると、他方の動作モードキーの表示領域に前記中止キーが表示される、請求項１に記載の操作装置。
【請求項３】
前記第１動作モードキーと前記第２動作モードキーとの間の領域に対してタッチ操作が行われた場合、前記第１動作モードキー及び前記第２動作モードキーのうち予め設定された方の動作モードキーの表示領域に前記中止キーが表示される、請求項２に記載の操作装置。
【請求項４】
前記動作キーは、動作の開始を指示するスタートキーであり、
前記中止キーは、前記スタートキーが非表示にされた後、前記スタートキーの表示領域内であって前記スタートキーに対するタッチ操作が行われた領域以外の領域に表示される、請求項１に記載の操作装置。
【請求項５】
請求項１から４のいずれかに記載の操作装置を備える画像形成装置。
【発明の詳細な説明】
【技術分野】
【０００１】
この発明は、複数の機能キーを表示自在であり表示中の機能キーに対するタッチ操作を受け付ける操作装置、及びこれを備える画像形成装置に関する。
【背景技術】
【０００２】
複写機、ファクシミリ、プリンタ、及びこれらの組み合わせに係る複合機等の電子機器に搭載される操作装置の中には、互いに異なる機能を割り付けられた複数の機能キーを表示自在であり表示中の機能キーに対するタッチ操作を受け付ける操作表示部を備えるものがある。
【０００３】
このような操作装置を備えた電子機器として、例えば、コピー動作の開始を指示するためのコピーキー、及びコピー動作の開始後にコピー動作の中止を指示するためのコピー中止キーを表示自在な操作装置を備える画像形成装置が知られている（例えば、特許文献１参照。）。この従来の操作装置では、コピーキーに対してタッチ操作が行われると、コピーキーが非表示にされた後、コピーキーの表示領域と同一の領域に、コピー中止キーが表示される。コピーキーとコピー中止キーという互いに相反する機能を割り付けられた機能キーが同一の表示領域に切り換え表示されることで、コピー動作の開始後に設定ミスに気付くなどコピー動作を中止したくなった場合に、コピー中止キーを即座に見付け、迅速にタッチ操作を行うことができる。
【先行技術文献】
【特許文献】
【０００４】
【特許文献１】特開２０１３−００３７４９号公報
【発明の概要】
【発明が解決しようとする課題】
【０００５】
しかし、上述のような従来の操作装置では、ユーザがコピーキーの同一箇所を連打してしまうことがある。理由として、他の処理も同時進行させることや負荷の大きい処理を実行させること等によって、ユーザがコピーキーに対するタッチ操作を行ってからコピー動作を開始したと実感できるまでの時間が通常時よりも長くなる場合があることや、ユーザのタッチミス等が挙げられる。
【０００６】
また、複数処理の同時進行等の理由によってコピーキーからコピー中止キーへの表示の切り換えが遅延する一方、内部処理ではコピーキーの入力操作の待機状態からコピー中止キーの入力操作の待機状態へと移行している場合がある。このような場合にコピーキーが連打されると、ユーザはコピー開始指示を行ったつもりが、実際にはコピーキーに続けてコピー中止キーのタッチ操作も行われてコピー動作が中止されてしまい、電子機器の動作がユーザの意に反したものになってしまうという誤操作が生じてしまう。
【０００７】
この発明の目的は、ユーザの誤操作を防止できる操作装置及びこれを備える画像形成装置を提供することにある。
【課題を解決するための手段】
【０００８】
この発明の操作装置は、操作表示部、及び制御部を備える。操作表示部は、互いに異なる機能を割り付けられた複数の機能キーを表示自在であり、表示中の機能キーに対するタッチ操作を受け付ける。制御部は、複数の機能キーのうち所定の動作キーに対するタッチ操作が行われると、動作キーを非表示にし、動作キーの表示領域内及び動作キーの表示領域の隣接領域を含む近接領域であって動作キーに対するタッチ操作が行われた領域以外の領域に、動作キーに割り当てられた機能を中止させる機能を割り当てられた中止キーを表示させる。
【０００９】
この構成では、中止キーは、動作キーの近接領域に表示されるので、動作キーに割り当てられた機能を中止したくなった場合に、中止キーを即座に見付け、迅速にタッチ操作を行うことができる。また、中止キーは、動作キーに対するタッチ操作が行われた領域以外の領域に表示されるので、ユーザが動作キーの同一箇所を連打した場合でも、中止キーが誤ってタッチ操作されることがない。このため、ユーザの意に反して動作が中止されるといった事態が防止される。
【００１０】
上述の構成において、動作キーは、第１動作モードでの動作の開始を指示する第１動作モードキー、及び第２動作モードでの動作の開始を指示する第２動作モードキーを含み、第１動作モードキーと第２動作モードキーとは互いに隣接して表示され、第１動作モードキー及び第２動作モードキーのうち一方の動作モードキーに対するタッチ操作が行われると、他方の動作モードキーの表示領域に中止キーが表示されるように構成することができる。
【００１１】
この構成では、第１動作モード又は第２動作モードの選択の入力操作と、選択した方の動作モードでの動作開始指示の入力操作とをワンタッチで行うことができる。また、タッチ操作された方の動作モードキーとは異なる方の動作モードキーの表示領域に、中止キーが表示されるので、動作モードキーが連打された場合でも、中止キーが誤ってタッチ操作されることを防止できる。
【００１２】
また、第１動作モードキーと第２動作モードキーとの間の領域に対してタッチ操作が行われた場合、第１動作モードキー及び第２動作モードキーのうち予め設定された方の動作モードキーの表示領域に中止キーが表示されることが好ましい。
【００１３】
この構成では、ユーザによるタッチ操作の位置が第１動作モードキーと第２動作モードキーとの間の領域にずれた場合でも、ユーザの誤操作を防止することができる。
【００１４】
さらに、動作キーは、動作の開始を指示するスタートキーであり、中止キーは、スタートキーが非表示にされた後、スタートキーの表示領域内であってスタートキーに対するタッチ操作が行われた領域以外の領域に表示されるように構成することができる。
【００１５】
この構成では、中止キーの表示箇所は、スタートキーの表示領域内ではあるが、スタートキーに対するタッチ操作が行われた領域以外の領域なので、スタートキーの同一箇所が連打された場合でも、中止キーが誤ってタッチ操作されることを防止できる。
【００１６】
この発明の画像形成装置は、上述のいずれかの構成の操作装置を備える。
【００１７】
この構成では、中止キーは、動作キーに対するタッチ操作が行われた領域以外の領域に表示されるので、ユーザが動作キーの同一箇所を連打した場合でも、中止キーが誤ってタッチ操作されることがない。このため、ユーザの意に反して動作が中止されるといった事態が防止される。
【発明の効果】
【００１８】
この発明によれば、ユーザの誤操作を防止することができる。
【図面の簡単な説明】
【００１９】
【図１】この発明の第１実施形態に係る操作装置を備えた画像形成装置の一部の斜視図である。
【図２】（Ａ）は前記画像形成装置の側面図であり、（Ｂ）はその正面図である。
【図３】前記画像形成装置の電気的構成を示すブロック図である。
【図４】第１実施形態に係る操作装置の制御部の処理手順を示すフローチャートである。
【図５】第１実施形態に係る操作装置の操作表示部のスタート待機状態の画面を示す図である。
【図６】第１実施形態に係る操作装置の操作表示部のスタート後の画面を示す図である。
【図７】比較例に係る操作装置の操作表示部のスタート後の画面を示す図である。
【図８】第２実施形態に係る操作装置の制御部の処理手順を示すフローチャートである。
【図９】第２実施形態に係る操作装置の操作表示部におけるスタートキーに対するタッチ操作の領域区分を示す図である。
【図１０】第３実施形態に係る操作装置の制御部の処理手順を示すフローチャートである。
【図１１】第３実施形態に係る操作装置の操作表示部におけるスタートキーに対するタッチ操作の領域区分を示す図である。
【図１２】第３実施形態に係る操作装置の操作表示部のスタート待機状態の画面を示す図である。
【図１３】第３実施形態に係る操作装置の操作表示部のスタート後の画面を示す図である。
【発明を実施するための形態】
【００２０】
図１、図２（Ａ）及び図２（Ｂ）に示すように、この発明の実施形態に係る操作装置１０は、画像形成装置１に搭載されている。画像形成装置１は、操作装置１０の他に、本体装置２を備えている。
【００２１】
本体装置２は、画像読取部３、画像形成部４、及び給紙部５を備え、いわゆる胴内排紙形状を呈している。
【００２２】
画像読取部３は、本体装置２の上部に配置されている。画像読取部３は、原稿台３１上に載置された原稿に光を照射し、反射した光に基づいて原稿の画像を読み取って画像データを生成する画像読取処理を行う。なお、図１、図２（Ａ）及び図２（Ｂ）では、原稿台３１の上面を閉鎖及び開放自在な蓋部材の記載が省略されている。図３（Ａ）及び図３（Ｂ）においても同様に蓋部材の記載が省略されている。
【００２３】
給紙部５は、本体装置２の下部に配置され、複数の給紙カセット５１，５２，５３，５４を有している。給紙カセット５１〜５４のそれぞれには、記録媒体の一例である用紙が収容されている。給紙部５は、用紙を１枚ずつ画像形成部４へ供給する。
【００２４】
画像形成部４は、画像読取部３が生成した画像データ又は外部から入力した画像データに基づいて、用紙に画像形成処理を行う。一例として、画像形成部４は、電子写真方式の画像形成処理を行う。画像形成部４は、画像データに基づいて形成したトナー像を用紙に担持させ、図示しない定着装置においてトナー像を用紙に熱及び圧力によって固着させる。
【００２５】
画像形成部４は、画像読取部３と給紙部５との間に配置されている。画像形成部４は、画像形成処理済みの用紙を収容する用紙排紙トレイ４１を設けるための空間４２を画像読取部３の下に残すように、本体装置２の幅方向９１における第１端部に設けられた用紙排紙部４３を有する。画像形成部４は、画像形成処理済みの用紙を、用紙排紙部４３から用紙排紙トレイ４１へ排出する。
【００２６】
操作装置１０は、本体装置２の前面に配置されている。一例として、操作装置１０は、画像読取装置３の前面に取り付けられている。また、一例として、操作装置１０は、幅方向９１において用紙排紙部４３が配置された第１端部の反対側の第２端部に取り付けられている。
【００２７】
画像形成装置１は、コピーモード、プリンタモード、及びファクシミリモードを備え、これらの動作モードのうちから選択されたいずれかの動作モードで動作する。例えば、コピーモードでは、画像読取部３において原稿から画像データが読み取られ、この画像データに基づいて画像形成部４において用紙に画像形成処理が行われる。
【００２８】
図３に示すように、画像形成装置１は、本体制御部２０をさらに備えている。操作装置１０は、操作制御部１１、及び操作表示部１２を備えている。操作表示部１２は、表示部１３及び操作部１４を有している。一例として、操作表示部１２は、液晶表示装置で構成された表示部１３とタッチパネルで構成された操作部１４とが互いに重ね合わされて構成された液晶タッチパネルである。
【００２９】
操作制御部１１は、表示部１３に画像を表示させる。操作制御部１１は、互いに異なる機能を割り付けられた複数の機能キーを表示部１３に表示させることができる。操作部１４は、表示中の機能キーに対するタッチ操作を受け付ける。操作制御部１１は、表示部１３に表示中の画像の座標と、操作部１４に対してタッチ操作された座標との関係に基づいて、コピー条件設定やコピー開始指示等の入力操作の内容を判別し、本体制御部２０へ入力操作データを出力する。
【００３０】
本体制御部２０は、操作装置１０から入力した入力操作データに基づいて、画像読取部３、画像形成部４、及び給紙部５を動作させる。本体制御部２０は、画像形成装置１の各部を統括的に制御している。
【００３１】
図４〜図６に示すように、操作表示部１２には、互いに異なる機能を割り付けられた複数の機能キーが表示されている。機能キーの中には、白黒コピースタートキー６１、及びカラーコピースタートキー６２がある。白黒コピースタートキー６１がタッチ操作即ち押下されると、白黒コピーモードのコピー動作が開始される。カラーコピースタートキー６２が押下されると、カラーコピーモードのコピー動作が開始される。白黒コピースタートキー６１とカラーコピースタートキー６２とは、操作表示部１２のうちの所定箇所に互いに隣接して表示される。
【００３２】
操作制御部１１は、複数の機能キーのうち所定の動作キーに対するタッチ操作が行われると、前記動作キーを非表示にし、前記動作キーの表示領域内及び前記動作キーの表示領域の隣接領域を含む近接領域であって前記動作キーに対するタッチ操作が行われた領域以外の領域に、前記動作キーに割り当てられた機能を中止させる機能を割り当てられた中止キーを表示させる。
【００３３】
第１実施形態に係る操作装置１０では、操作制御部１１は、白黒コピースタートキー６１が押下されると（Ｓ１）、白黒コピースタートキー６１及びカラーコピースタートキー６２を非表示にし、白黒コピースタートキー６１の表示領域の隣接領域即ちカラーコピースタートキー６２の表示領域に、コピー中止キー６３を表示させる（Ｓ２）。ユーザが白黒コピー動作を中止させたい場合は、コピー中止キー６３を押下することで、白黒コピー動作が中止される。
【００３４】
操作制御部１１は、カラーコピースタートキー６２が押下されると（Ｓ３）、白黒コピースタートキー６１及びカラーコピースタートキー６２を非表示にし、カラーコピースタートキー６１の表示領域の隣接領域即ち白黒コピースタートキー６１の表示領域に、コピー中止キー６３を表示させる（Ｓ４）。ユーザがカラーコピー動作を中止させたい場合は、コピー中止キー６３を押下することで、カラーコピー動作が中止される。
【００３５】
このように、白黒コピースタートキー６１及びカラーコピースタートキー６２のうち一方のコピースタートキーが押下されると、他方のコピースタートキーの表示領域にコピー中止キー６３が表示される。押下された方のコピースタートキーとは異なる方のコピースタートキーの表示領域に、コピー中止キー６３が表示されるので、コピースタートキーが連打された場合でも、コピー中止キー６３が誤って押下されるという誤操作を防止できる。このため、ユーザの意に反してコピー動作が中止されるといった事態を防止できる。
【００３６】
図７に示す比較例のように、白黒コピースタートキー６１の表示領域にコピー中止キー６３が表示されると、白黒コピースタートキー６１が連打された場合に、コピー中止キー６３が誤って押下されることがあり、ユーザの意に反してコピー動作が中止される虞がある。第１実施形態に係る操作装置１０によれば、上述のように、コピー中止キー６３は、押下されたコピースタートキーの表示領域とは異なる領域である隣接領域に表示されるので、コピースタートキーが連打された場合でも比較例のように誤ってコピー中止キー６３が押下されることを防止できる。
【００３７】
また、コピー中止キーは、コピースタートキーの隣接領域に表示されるので、コピー動作を中止したくなった場合に、コピー中止キー６３を即座に見付け、迅速に押下することができる。
【００３８】
図８に、第２実施形態に係る操作装置１０の操作制御部１１の処理手順を示す。第２実施形態に係る操作装置１０では、図５に示す操作表示部１２と同様に白黒コピースタートキー６１とカラーコピースタートキー６２とが互いに隣接するように表示される。第２実施形態に係る操作装置１０では、白黒コピースタートキー６１及びカラーコピースタートキー６２が表示された状態で、白黒コピースタートキー６１の表示領域６１Ａとカラーコピースタートキー６２の表示領域６２Ａとの中間領域６４Ａが押下された場合、白黒コピースタートキー６１及びカラーコピースタートキー６２のうち予め設定されたいずれか一方のコピースタートキーが押下されたものとしてコピー動作開始指示が入力される。
【００３９】
一例として、中間領域６４Ａが押下されると、白黒コピースタートキー６１が押下されたものとして白黒コピー動作開始指示が入力される。
【００４０】
図８に示すように、白黒コピースタートキー６１が押下されると（Ｓ１）、白黒コピースタートキー６１及びカラーコピースタートキー６２が非表示にされ、カラーコピースタートキー６２の表示領域に、コピー中止キー６３が表示される（Ｓ２）。
【００４１】
カラーコピースタートキー６２が押下されると（Ｓ３）、白黒コピースタートキー６１及びカラーコピースタートキー６２が非表示にされ、白黒コピースタートキー６１の表示領域に、コピー中止キー６３が表示される（Ｓ４）。
【００４２】
操作制御部１１は、中間領域６４Ａが押下されると（Ｓ５）、白黒コピー動作を開始させ、カラーコピースタートキー６２の表示領域に、コピー中止キー６３を表示させる（Ｓ６）。
【００４３】
第２実施形態に係る操作装置１０によれば、中間領域６４Ａが押下された場合でも、白黒コピースタートキー６１及びカラーコピースタートキー６２のうち使用頻度の高い方のコピースタートキーが押下されたものとしてコピー動作開始指示の入力を受け付けるように予め設定しておくことで、操作性が向上する。また、ユーザによるタッチ操作の位置が中間領域６４Ａにずれて中間領域６４Ａが連打された場合でも、コピー中止キー６３が誤って押下されるという誤操作を防止できる。
【００４４】
図１０〜図１３を参照しつつ、第３実施形態に係る操作装置１０について説明する。第３実施形態に係る操作装置１０では、図１２に示すように、１個のコピースタートキー６５が表示される。図１１に示すように、コピースタートキー６５は、複数の領域６５Ａ，６５Ｂに区分され、コピースタートキー６５が押下された場合にいずれの領域が押下されたのかの情報が操作制御部１１に入力される。一例として、コピースタートキー６５は、第１領域６５Ａと第２領域６５Ｂとに区分されている。
【００４５】
図１０に示すように、操作制御部１１は、コピースタートキー６５の第１領域６５Ａが押下された場合は（Ｓ１１）、コピースタートキー６５を非表示にし、コピースタートキー６５の表示領域内であって第１領域６５Ａとは異なる領域即ち第２領域６５Ｂに、コピー中止キー６６を表示させる（Ｓ１２）。ユーザがコピー動作を中止させたい場合は、コピー中止キー６６を押下することで、コピー動作が中止される。
【００４６】
操作制御部１１は、コピースタートキー６５の第２領域６５Ｂが押下された場合は（Ｓ１３）、コピースタートキー６５を非表示にし、コピースタートキー６５の表示領域内であって第２領域６５Ｂとは異なる領域即ち第１領域６５Ａに、コピー中止キー６６を表示させる（Ｓ１４）。
【００４７】
第３実施形態に係る操作装置１０では、コピー中止キー６６の表示箇所は、コピースタートキー６５の表示領域内ではあるが、コピースタートキー６５が押下された領域以外の領域なので、コピースタートキー６５の同一箇所が連打された場合でも、コピー中止キー６６が誤ってタッチ操作されるという誤操作を防止できる。
【００４８】
上述の実施形態のそれぞれの技術的特徴を互いに組み合わせることで、新たな実施形態を構成することが考えられる。
【００４９】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００５０】
１  画像形成装置
２  本体装置
１０  操作装置
１１  操作制御部
１２  操作表示部
６１  白黒コピースタートキー
６２  カラーコピースタートキー
６３，６６  コピー中止キー
６４Ａ  中間領域
６５  コピースタートキー
【図１】
2015032168.tif 000003
【図２】
2015032168.tif 000004
【図３】
2015032168.tif 000005
【図４】
2015032168.tif 000006
【図５】
2015032168.tif 000007
【図６】
2015032168.tif 000008
【図７】
2015032168.tif 000009
【図８】
2015032168.tif 000010
【図９】
2015032168.tif 000011
【図１０】
2015032168.tif 000012
【図１１】
2015032168.tif 000013
【図１２】
2015032168.tif 000014
【図１３】
2015032168.tif 000015